(57)【要約】【課題】簡便な構成により高い効率で水を浄化し得る水処理装置を提供する。【解決手段】担体１と共に処理対象としての水Ｗを貯留する反応槽２０と、反応槽２０の底部に一端を、水面より上に他端を配置されたエアリフト管２９と、エアリフト管２９の内部へ気体Ａを送り込む導気管３０と、エアリフト管２９の他端から反応槽２０の水面に向かって下り勾配をなす傾斜板３２ｃとを備え、エアリフト管２９に導気管３０から気体Ａを吹き込むことで、反応槽２０内の担体１と水Ｗをエアリフト管２９内へ吸入し、気体Ａと共にエアリフト管２９の他端から排出して傾斜板３２ｃに導き、担体１は傾斜板３２ｃに沿って落下させて反応槽２０へ戻す一方、傾斜板３２ｃの隙間から下方へ流れる水Ｗは外部へ排出するよう水処理装置を構成し、傾斜板３２ｃの隙間の少なくとも一部を覆うよう、流量調整板３６を備える。【選択図】図２
2020104052.tif 000002
【特許請求の範囲】
【請求項１】
微生物を担持する担体と共に処理対象としての水を貯留する反応槽と、
前記反応槽の底部に一端を、水面より上に他端を配置されたエアリフト管と、
前記エアリフト管の内部へ気体を送り込む導気管と、
前記エアリフト管の他端から前記反応槽の水面に向かって下り勾配をなし、水が両面間を通過できる隙間を備えた傾斜板とを備え、
前記エアリフト管に前記導気管から気体を吹き込むことで、前記反応槽内の担体と水を前記エアリフト管内へ吸入し、気体と共に前記エアリフト管の他端から排出して前記傾斜板に導き、担体は前記傾斜板に沿って落下させて反応槽へ戻す一方、前記傾斜板の隙間から下方へ流れる水は外部へ排出するよう構成され、
前記傾斜板の隙間の少なくとも一部を覆うよう、流量調整板を備えたこと
を特徴とする水処理装置。
【請求項２】
前記流量調整板の前記傾斜板上にあたる位置に縁部を設けたことを特徴とする請求項１に記載の水処理装置。
【請求項３】
前記流量調整板は、前記傾斜板における被覆面積を調整可能に構成されていることを特徴とする請求項１または２に記載の水処理装置。
【請求項４】
前記エアリフト管の他端は、水面から上方に突出するように配置され、
前記傾斜板は、前記エアリフト管の他端を囲み、径方向外側へ向かう向きに下り勾配をなすよう複数枚備えられ、
前記傾斜板の傾斜方向に沿った辺に、上方へ突出する縁部を備えていることを特徴とする請求項１〜３のいずれか一項に記載の水処理装置。
【発明の詳細な説明】
【技術分野】
【０００１】
本発明は、排水や汚水等の水を浄化処理するための装置に関する。
【背景技術】
【０００２】
排水や汚水といった水を浄化する技術として、生物処理と呼ばれる方法が一般的に用いられている。水中に含まれる有機物等の物質を、微生物の働きにより分解し、あるいは無害化するのである。
【０００３】
図１０は、こうした生物処理を行うための装置として従来用いられている水処理装置の一例を示している。本従来例の水処理装置においては、活性炭やアンスラサイト、軽量骨材、あるいは樹脂等で形成された粒状の固形物である担体１が反応槽２内に投入され、ここに処理対象としての水Ｗが反応槽２に導入されて、担体１に担持された微生物により水Ｗが浄化処理されるようになっている。反応槽２は、内部に水平方向に沿って設けられた仕切板３により上下に分割されており、該仕切板３の上側の処理室４に担体１が投入される。処理室４における仕切板３付近の高さには曝気管５が設けられ、外部の曝気ブロワ６から処理室４内へ空気Ａが送り込まれるようになっている。
【０００４】
仕切板３には集水ストレーナ７が設けられており、処理室４において処理された水Ｗが集水ストレーナ７により担体１を除かれて下方の集水室８へ抜けるようになっている。集水室８は、さらに処理水管９を介して処理水槽１０に接続されている。
【０００５】
また、集水室８には外部の逆洗ブロワ１１から逆洗用の送気管１２を通じて空気Ａを送り込むことができるようになっており、処理水槽１０の下方には、逆洗用の送水管１３の一端が接続されている。送水管１３の他端は処理水管９に接続されており、送水管１３の途中に備えた逆洗ポンプ１４の作動により、処理水槽１０内の水Ｗを処理水槽１０から反応槽２へ送り込むことができるようになっている。
【０００６】
反応槽２の上部にはサイホン管１５が設けられており、反応槽２内の水Ｗが一定の水位を超えると、超過分がサイホン管１５を通じて外部へ排出されるようになっている。
【０００７】
水処理を行う場合、反応槽２に対し、上方から処理対象の水Ｗが導入される。水Ｗ中の物質は、処理室４において担体１に担持された微生物の働きによって処理される。水Ｗは、処理室４内を下方へ向かう間に微生物反応により浄化され、仕切板３に設けられた集水ストレーナ７を通じて集水室８へ抜ける。さらに、処理水管９を通って処理水槽１０へ移り、沈殿等の必要な処理を経て、環境中へ放出される。
【０００８】
浄化処理の実行中、反応槽２の処理室４に対しては、曝気ブロワ６から曝気管５を通して空気Ａが送り込まれる。これにより水Ｗ中に酸素が溶け込まされ、処理室４内の水Ｗ中の物質が、担体１に担持された好気性微生物により酸化される。
【０００９】
運転時間の経過に伴い、処理室４内の担体１には微生物が繁殖し、担体１の表面に生物膜からなる固形物が形成される。こうした固形物は、担体１の目詰まりや固着を生じさせ、水Ｗの通過抵抗を増大させ、浄化効率の低下を招く。そこで、このような反応槽２を備えた水処理装置を運転する場合は、定期的に逆洗を行い、担体１の表面の固形物を剥がし落とす必要がある。
【００１０】
逆洗を行う際は、逆洗ブロワ１１から反応槽２の集水室８へ多量の空気Ａを送り込む。集水室８へ送り込まれた空気Ａは、仕切板３の集水ストレーナ７を通じて処理室４へ流れ込む。処理室４では、流れ込んだ空気Ａの勢いにより、水Ｗと共に担体１が撹拌される。担体１が互いに衝突し、表面を擦り合わせながら水Ｗ中を上下に動くことで、担体１の表面に付着する固形物が剥離する。
【００１１】
続いて、送水管１３に設けられた逆洗ポンプ１４を作動させ、処理水槽１０内の水Ｗを反応槽２の集水室８へ送り込む。水Ｗは集水ストレーナ７を通じて処理室４へ流れ込み、先の空気Ａの吹き込みに伴い剥がれ落ちた固形物と共に、サイホン管１５から外部へ排出される。
【００１２】
ところで、このような水処理装置では、本来の役割である水Ｗの浄化処理と、逆洗とを同時に実行することができない。つまり、逆洗の実行中は水Ｗの浄化処理を行うことができないので、連続的な浄化処理が必要な場所では複数個の反応槽が必要となり、浄化のための設備が大型化してしまう。また、逆洗を常時実行することはできないので、逆洗を行ってから次の逆洗を行うまでの間、徐々に担体１に固形物が増え、浄化効率が低下していってしまう。よって、一定以上の浄化効率を確保しようとすれば設備全体がさらに大型化してしまうという問題がある。
【００１３】
また、逆洗のための逆洗ブロワ１１や送気管１２、送水管１３、逆洗ポンプ１４といった機構を備える必要があるし、逆洗に十分な量の水を確保するためには処理水槽１０の容積も大きくしなくてはならない。
【００１４】
そこで、こうした問題を解決し、コンパクトで浄化効率の高い水処理装置を実現し得る技術として、本願出願人により下記特許文献１に記載の下向流型生物膜浄化装置が既に提案され、実用化されている。
【００１５】
図１１〜図１３は下記特許文献１に記載の下向流型生物膜浄化装置と同等の水処理装置を示している。ここに示した水処理装置は、直径２ｍｍ〜１０ｍｍ程度の粒状の固形物である担体１が投入された反応槽２０と、該反応槽２０内に酸素を供給する散気装置２１を備えている。散気装置２１は、反応槽２０内に配置された散気管２１ａに対し、外部の散気ブロワ２２から反応槽２０内へ酸素を含む気体（例えば、空気）Ａを送り込むようになっている。
【００１６】
反応槽２０内における散気管２１ａよりも下方の位置には、下向きに開口２３ａを有する椀型の集水室２３が設けられている。開口２３ａの高さは、反応槽２０の最下部よりは上方である。集水室２３の内部には、処理水管２４の一端が開口している。処理水管２４は、集水室２３の内側から開口２３ａを通り、さらに反応槽２０の壁を貫通して外部へ延び、他端は処理水槽２５に接続されている。
【００１７】
処理対象の原水である水Ｗは、反応槽２０の外に設けた原水槽２６に貯留され、原水ポンプ２７によって汲み上げられ、原水管２８を通じて反応槽２０に供給されるようになっている。
【００１８】
水処理の際には、反応槽２０に対して処理対象である水Ｗが上方から導入されると共に、散気装置２１から空気Ａが供給される。そして、水Ｗが担体１の槽を下方へ通過する間、微生物の働きによって浄化される。浄化された水は、集水室２３から処理水管２４に引き込まれ、処理水槽２５に導かれる。
【００１９】
そして、本例の場合、このような水Ｗの浄化処理と並行して、担体１の洗浄処理をも実行できるようになっている。
【００２０】
本例における反応槽２０は、下部に下方へ向かって断面積の小さくなる逆円錐形の縮径部２０ａを備え、縮径部２０ａよりも上側は、高さによらず径の等しい円柱形の形状である。このような形状の反応槽２０の中心軸に沿って、担体１を洗浄するためのエアリフト管２９が設けられている。エアリフト管２９は、下端を縮径部２０ａの最下部付近に、上端を反応槽２０における水面よりも上側に配置されており、下端付近には、エアリフト管２９内へ気体（例えば、空気）Ａを導入するための導気管３０の一端が接続されている。導気管３０は反応槽２０の外部へ延びており、導気管３０の他端から洗浄用ブロワ３１によりエアリフト管２９内へ空気Ａが送り込まれるようになっている。
【００２１】
エアリフト管２９の上端部の周囲には、分離装置３２が設置されている。分離装置３２は、本体部３２ａと、遮蔽板３２ｂを備えている。本体部３２ａは、エアリフト管２９の上部を囲むように配置され、エアリフト管２９の上端から径方向外側に向かって下り勾配をなす傾斜板３２ｃと、該傾斜板３２ｃの下方に配置される受け皿３２ｄを備えている。傾斜板３２ｃは、両面間を水Ｗが通過でき、且つ担体１の粒を通さない程度の隙間を備えた板状の部材であり、例えば金網やパンチングメタル、あるいは柵状の部材等である。本例の場合、図１３に示す如く、長方形状の傾斜板３２ｃが４枚、平面視でエアリフト管２９を中心としてＸ字状に配置されている（図１３では、傾斜板３２ｃとしては手前側にあたる２枚のみが表れている）。４枚の傾斜板３２ｃの上辺は、正方形をなしてエアリフト管２９の上端を囲んでおり、該正方形を覆うように略四角台形状の誘導部３２ｅが設置され、エアリフト管２９の上端は、誘導部３２ｅの上部の中心に開口している。傾斜板３２ｃの上辺と、平面視で円形であるエアリフト管２９の上端の間が、誘導部３２ｅにより接続される形である。
【００２２】
各傾斜板３２ｃの傾斜方向に沿った２辺には、それぞれ上方へ立ち上がるように縁部３２ｆが設けられている。
【００２３】
遮蔽板３２ｂは、円筒面状の形状をなす部材であり、本体部３２ａの上方にエアリフト管２９の上端を囲むように設置される。遮蔽板３２ｂの下端は、本体部３２ａの上面をなす誘導部３２ｅあるいは傾斜板３２ｃの上部に対し、少なくとも担体１の通過を許容する程度の距離を開けて配置される。
【００２４】
受け皿３２ｄは、傾斜板３２ｃおよび誘導部３２ｅの下方に配置される皿状の部材であり、後述するように、傾斜板３２ｃから下方へ流れる水Ｗを受けるために設置される。一方、受け皿３２ｄは、傾斜板３２ｃに沿って落ちる担体１を受けることがないよう、各傾斜板３２ｃにあたる部分の縁が、傾斜板３２ｃの下辺を超えて径方向外側に張り出さないように設けられる。受け皿３２ｄの中心は、エアリフト管２９が貫通している。
【００２５】
受け皿３２ｄには排出管３３の一端が接続されており、受け皿３２ｄの受けた水Ｗを外部へ排出できるようになっている。排出管３３の他端は、反応槽２０とは別に設けた洗浄水処理槽３４に接続されている。洗浄水処理槽３４の上部には、戻し管３５の一端が接続され、戻し管３５の他端は原水槽２６に接続されている。
【００２６】
担体１の洗浄処理は、洗浄用ブロワ３１からエアリフト管２９に対して空気Ａを吹き込むことによって行う。洗浄用ブロワ３１から吹き込まれた空気Ａは、導気管３０からエアリフト管２９に到達すると、エアリフト管２９内を上方へ向かう。この際、エアリフト管２９の下端からは、反応槽２０の底部に溜まった担体１が水Ｗと共に吸入され、空気Ａの動きに伴ってエアリフト管２９内を上昇する。ここで、エアリフト管２９の下端は、下向きの傾斜を有する縮径部２０ａの最下部に開口しているので、反応槽２０の底部に溜まった担体１はエアリフト管２９の下端部の開口付近に自重によって集まり、これにより、エアリフト管２９への担体１の吸入がスムーズに行われる。尚、集水室２３は、担体１の溜まる反応槽２０の下部に位置しているが、開口２３ａが下を向くように配置されているので、浄化されて集水室２３から処理水管２４を通じて処理水槽２５へ抜き出される水Ｗに関しては、担体１が分離された状態で抜き出されることになる。
【００２７】
水Ｗと共にエアリフト管２９内を上昇する間、担体１と水Ｗは空気Ａによって撹拌され、これにより、担体１の表面に付着した生物膜等の固形物は剥離し、担体１が洗浄される。そして、洗浄された担体１と、剥離した固形物を含む水Ｗが、空気Ａと共にエアリフト管２９の上端から排出される。
【００２８】
水Ｗと担体１は、エアリフト管２９の上端から分離装置３２の本体部３２ａの上方へ排出される。この際、エアリフト管２９の上端を囲むように配置された遮蔽板３２ｂにより、排出される水Ｗや担体１が勢い良く周囲に放出されることは防止され、水Ｗと担体１はエアリフト管２９の上端から本体部３２ａの誘導部３２ｅのなす面に沿うように排出され、さらに径方向外側に位置する傾斜板３２ｃへ誘導される。
【００２９】
傾斜板３２ｃは、担体１の粒を通さない程度の隙間を備えているので、エアリフト管２９の上端から排出された担体１は傾斜板３２ｃの表面を伝って下方に落下し、反応槽２０内に戻される。この際、傾斜板３２ｃの傾斜方向に沿った二辺には縁部３２ｆが備えられているので、担体１が傾斜板３２ｃの側辺（縁部３２ｆの備えられた辺）を超えて受け皿３２ｄに落下することは防がれる。一方、排出された水Ｗの大半は、担体１から剥離した固形物と共に、傾斜板３２ｃの隙間から下方へ流れ、受け皿３２ｄに受けられる。
【００３０】
受け皿３２ｄの水Ｗは、担体１から剥離した固形物と共に排出管３３から外部の洗浄水処理槽３４へ排出され、貯留される。洗浄水処理槽３４では、水Ｗの沈殿処理が行われ、底部に沈殿した固形物は適宜抜き出されて汚泥として処理される。洗浄水処理槽３４の上澄みは、原水槽２６に戻され、再び反応槽２０へ戻される。
【００３１】
担体１の洗浄処理は、上述の如き水Ｗの浄化処理を行いつつ、それと同時に実行することができる。尚、洗浄処理は、浄化処理の実行中、連続的に行うこともできるが、通常は定期的に短時間、実行すれば十分である。
【００３２】
このような水処理装置によれば、担体１の洗浄に際して水Ｗの浄化処理を停止する必要がなく、したがって、水処理装置の稼働率を向上させることができ、また、担体１に多量の固形物が付着する前に担体１を洗浄することができる。このため、小型の設備で高い効率による水処理が可能である。担体１の洗浄処理に要する設備も、図１０に示す如き例における逆洗用の設備と比較して小型である。
【先行技術文献】
【特許文献】
【００３３】
【特許文献１】特開昭６１−２９１０９９号公報
【発明の概要】
【発明が解決しようとする課題】
【００３４】
しかしながら、図１１〜図１３に記載の如き水処理装置であっても、場合によっては要求される性能を満足できない可能性も考えられる。具体的には、例えば別の浄化処理を経た水を原水とし、これに対しさらに浄化処理を行うことを考えると、有機物の濃度が低く、且つアンモニアの残存する水を高速で処理する場合が想定される。具体的には、例えばＣ−ＢＯＤ（Carbonaceous Biochemical Oxygen Demand）にして２０ｍｇ／Ｌ程度の有機物に対し、アンモニアを２０ｍｇ／Ｌ程度含む水が処理対象となる。この場合、時間あたりの水処理量が、通常と比較して多くなる。通常の排水を処理しようとする場合、上記特許文献１に記載の如き下向流型生物膜浄化装置では、反応槽面積あたりの通水量は２０ｍ３／ｍ２・日程度であるが、上述のように有機物濃度が低く且つアンモニアの残存する水を処理しようとすると、通水量はこの２〜３倍程度になる。このため、担体の目詰まりを防止するためには、原因となる固形物の量を少なくする必要がある。
【００３５】
図１１〜図１３に記載の水処理装置の場合、担体１の洗浄の効率は、例えば洗浄を行う時間や頻度、エアリフト管２９に送り込む空気Ａの量などによって制御することができる。つまり、反応槽２０内における固形物の量を少なくしようとすれば、これらを調整し、洗浄の程度を大きくすることで担体１に付着する固形物の量を少なく保てば良い。ところが、反応槽２０内に固形物が少ないということは、すなわち浄化反応を行う微生物が少ないことを意味する。特に、アンモニアを酸化する微生物は、好気性微生物の中でも増殖が比較的遅く、アンモニアの浄化を意図する場合、反応槽２０内における固形物量を減らしてしまうと、満足な浄化性能を出すことが難しい。閉塞防止のために固形物量を減らすことが、浄化性能を高めるうえで制限要因となってしまうのである。
【００３６】
また、１５℃前後の低温の水を処理しようとする場合にも同様の問題がある。低温では微生物の反応速度が遅いので、浄化性能を高めるには多量の固形物を反応槽２０内に維持する必要があるが、そのために洗浄の程度を低くすれば、担体１の目詰まりが生じてしまう。
【００３７】
本発明は、斯かる実情に鑑み、簡便な構成により高い効率で水を浄化し得る水処理装置を提供しようとするものである。
【課題を解決するための手段】
【００３８】
本発明は、微生物を担持する担体と共に処理対象としての水を貯留する反応槽と、前記反応槽の底部に一端を、水面より上に他端を配置されたエアリフト管と、前記エアリフト管の内部へ気体を送り込む導気管と、前記エアリフト管の他端から前記反応槽の水面に向かって下り勾配をなし、水が両面間を通過できる隙間を備えた傾斜板とを備え、前記エアリフト管に前記導気管から気体を吹き込むことで、前記反応槽内の担体と水を前記エアリフト管内へ吸入し、気体と共に前記エアリフト管の他端から排出して前記傾斜板に導き、担体は前記傾斜板に沿って落下させて反応槽へ戻す一方、前記傾斜板の隙間から下方へ流れる水は外部へ排出するよう構成され、前記傾斜板の隙間の少なくとも一部を覆うよう、流量調整板を備えたことを特徴とする水処理装置にかかるものである。
【００３９】
本発明の水処理装置においては、前記流量調整板の前記傾斜板上にあたる位置に縁部を設けても良い。
【００４０】
本発明の水処理装置において、前記流量調整板は、前記傾斜板における被覆面積を調整可能に構成しても良い。
【００４１】
本発明の水処理装置を具体的に実施するにあたり、前記エアリフト管の他端は、水面から上方に突出するように配置され、前記傾斜板は、前記エアリフト管の他端を囲み、径方向外側へ向かう向きに下り勾配をなすよう複数枚備えられ、前記傾斜板の傾斜方向に沿った辺に、上方へ突出する縁部を備えた構成とすることができる。
【発明の効果】
【００４２】
本発明の水処理装置によれば、簡便な構成により高い効率で水を浄化し得るという優れた効果を奏し得る。
【図面の簡単な説明】
【００４３】
【図１】本発明の実施による水処理装置の形態の一例を示す全体概略図である。
【図２】本実施例の水処理装置の要部の形態を示す概略正断面図であり、特に反応槽の構成を示している。
【図３】本実施例の水処理装置の要部の形態を示す斜視図であり、分離装置の構成を示している。
【図４】本実施例の水処理装置によるアンモニアの除去効率を検証した実験の結果を示すグラフである。
【図５】分離装置の形態の別の一例を示す斜視図である。
【図６】分離装置の形態のさらに別の一例を示す斜視図である。
【図７】分離装置の形態のさらに別の一例を示す平面図である。
【図８】本発明の参考例による水処理装置の形態を示す概略図である。
【図９】本発明の別の参考例による水処理装置の形態を示す概略図である。
【図１０】従来における水処理装置の一例を示す全体概略図である。
【図１１】従来における水処理装置の別の一例を示す全体概略図である。
【図１２】従来における水処理装置の別の一例における要部を示す概略正断面図であり、特に反応槽の構成を示している。
【図１３】従来における水処理装置の別の一例における要部を示す斜視図であり、分離装置の構成を示している。
【発明を実施するための形態】
【００４４】
以下、本発明の実施の形態を添付図面を参照して説明する。
【００４５】
図１〜図３は本発明の実施による水処理装置の形態の一例を示しており、図中、図１１〜図１３と同一の符号を付した部分は同一物を表している。
【００４６】
本実施例の水処理装置は、基本的な構成は図１１〜図１３に示す従来例と同様であり、微生物を担持する担体１と共に処理対象としての水Ｗを貯留する反応槽２０と、該反応槽２０内に酸素を供給する散気装置２１を備えている。反応槽２０内の散気管２１ａよりも下方の位置には椀型の集水室２３が設けられ、集水室２３の内部には、処理水管２４の一端が開口している。処理水管２４は、集水室２３の内側と、処理水槽２５を接続している。処理対象の原水である水Ｗは、反応槽２０の外に設けた原水槽２６に貯留され、原水ポンプ２７によって汲み上げられ、原水管２８を通じて反応槽２０に供給されるようになっている。
【００４７】
また、円筒形の壁の下部に逆円錐形の縮径部２０ａを備えた反応槽２０の中心軸に沿って、エアリフト管２９が設けられている。エアリフト管２９は、反応槽２０の底部に一端（下端）が、水面より上に他端（上端）が位置するように配置されており、エアリフト管２９の下端付近には、導気管３０の一端が接続されている。そして、導気管３０の他端から洗浄用ブロワ３１によりエアリフト管２９内へ気体（例えば、空気）Ａが送り込まれるようになっている。
【００４８】
水面から上方へ突出するように配置されたエアリフト管２９の上端部の周囲には、本体部３２ａと、遮蔽板３２ｂを備えた分離装置３２が設けられている。本体部３２ａは、傾斜板３２ｃと受け皿３２ｄを備えており、傾斜板３２ｃとしては、エアリフト管２９の上端を囲むように長方形状の板が複数枚（ここでは４枚）配置されている。各傾斜板３２ｃは、エアリフト管２９の上端から径方向外側の水面へ向かう向きに下り勾配をなすように配置され、エアリフト管２９の上端と、４枚の傾斜板３２ｃの上辺の間は、略四角台形状の誘導部３２ｅにより接続されている。各傾斜板３２ｃの傾斜方向に沿った２辺には、それぞれ上方へ突出する縁部３２ｆが設けられている。
【００４９】
エアリフト管２９から排出される水Ｗや担体１を分離装置３２で受けるにあたっては、エアリフト管２９の出口である上端を傾斜板３２ｃで取り囲むことが確実且つ効率が良く、好適である。この際、例えば傾斜板３２ｃを円錐面とし、その頂点にあたる位置にエアリフト管２９の上端を配置しても良いが、円錐面状の部材は形成に手間や費用が嵩んでしまう。そこで、本実施例のように長方形状の傾斜板３２ｃでエアリフト管２９の上端を囲むようにすると、分離装置３２を平面的で単純な形状の傾斜板３２ｃにより構成することができ、分離装置３２を備えた反応槽２０を設置するにあたり、建設費を低く抑えることができる。また、このようにした場合、円形断面のエアリフト管２９と傾斜板３２ｃとの間や、傾斜板３２ｃ同士の間には隙間が生じることになるが、エアリフト管２９と傾斜板３２ｃとの間は誘導部３２ｅで接続し、また、傾斜板３２ｃには傾斜方向に関して両脇に縁部３２ｆを設けることで、水Ｗや担体１を傾斜板３２ｃへ正しく誘導し、また傾斜板３２ｃの脇から担体１が落下することを防止し、後述する担体１の洗浄にあたり、エアリフト管２９から排出された担体１を確実に反応槽２０へ戻すことができる。
【００５０】
本体部３２ａの上方には、エアリフト管２９の上端を囲むように円筒面状の遮蔽板３２ｂが設置される。傾斜板３２ｃおよび誘導部３２ｅの下方には、受け皿３２ｄが設置される。受け皿３２ｄには排出管３３の一端が接続されており、排出管３３の他端は、洗浄水処理槽３４に接続されている。洗浄水処理槽３４の上部には、戻し管３５の一端が接続され、戻し管３５の他端は原水槽２６に接続されている。
【００５１】
以上の構成については図１１〜図１３に示した例と共通しているが、本実施例の場合、図２、図３に示す如く、分離装置３２の傾斜板３２ｃの一部を覆うように流量調整板３６を設置した点が異なっている。
【００５２】
傾斜板３２ｃは、両面間を水Ｗが通過でき、且つ担体１が通過できない程度の隙間を備えているが、流量調整板３６は、この傾斜板３２ｃの有する隙間を塞ぐように、傾斜板３２ｃのなす面に沿って配置される。本実施例の場合、各流量調整板３６は、傾斜板３２ｃの傾斜方向における寸法は傾斜板３２ｃと等しく、傾斜方向と直交する方向における寸法は傾斜板３２ｃの寸法より短く設定されており、傾斜板３２ｃの傾斜方向に関しては傾斜板３２ｃの全体を覆い、傾斜方向に直交する方向に関しては傾斜板３２ｃの一部のみを覆うように配置される。このようにすると、担体１の洗浄を行う際、エアリフト管２９の上端から排出されて傾斜板３２ｃへ流れる水Ｗのうち、流量調整板３６の設置されていない部分を通る水Ｗは傾斜板３２ｃの隙間から下方の受け皿３２ｄへ流れ落ち、排出管３３から外部へ排出されるが、流量調整板３６の設置された部分を通る水Ｗは傾斜板３２ｃの隙間を通らず下端まで流れ、そのまま反応槽２０へ戻されることになる。一方、水Ｗと共にエアリフト管２９の上端から排出された担体１に関しては、流量調整板３６の有無にかかわらず、傾斜板３２ｃあるいは流量調整板３６の傾斜に沿って反応槽２０へ落下する。
【００５３】
水Ｗの浄化処理に伴って担体１に蓄積した固形物は、担体１の洗浄処理（エアリフト管２９への空気Ａの吹き込み）の実行により担体１から剥離する。図１１〜図１３に示した例の場合、剥離した固形物を含んでエアリフト管２９の上端から排出された水Ｗの大半が傾斜板３２ｃの隙間から受け皿３２ｄへ流れ、排出管３３から外部へ排出されることになるが、図１〜図３に示す本実施例の場合、剥離した固形物を含む水Ｗのうち、流量調整板３６の設置された部分を通る一部の水Ｗはそのまま反応槽２０へ流れ込み、水Ｗに含まれる固形物は反応槽２０へ戻される。
【００５４】
つまり、図１１〜図１３に示した従来の水処理装置では、担体１の目詰まりや固着の防止のために洗浄を行った場合に、担体１から剥離した固形物の大部分を反応槽２０の外部へ排出することになり、これが浄化処理の効率向上を制限する要因となっていたが、本実施例によれば、洗浄処理により担体１の目詰まりや固着は防止しつつも、剥離した固形物の一部を反応槽２０に戻すことで、反応槽２０内における微生物群の保持量を保ち、浄化効率を向上させることができるのである。
【００５５】
一般に、微生物による水処理を行う際には、浄化性能の指標として槽内における固形物の滞留時間（ＳＲＴ：Sludge Retention Time）を用いることができる。これは、槽内に存在する固形物の総量を、浄化処理や洗浄に伴って単位時間あたりに流出する固形物の量で割った値として求めることができ、この値が大きいほど浄化性能が高いと言うことができる。一般的な水処理装置においては、ＳＲＴがおおむね１０日程度以上あれば良いとされるが、特にアンモニアの除去を目的とする場合、アンモニア酸化細菌は増殖が遅いため、高めのＳＲＴ値が要求される。
【００５６】
ＳＲＴは、図１１〜図１３に示した例の場合、以下の式で表すことができる。
［式１］
ＳＲＴ＝ＶＣ／（ＱＯＵＴＣＯＵＴ＋ＱＷＡＳＨＣＷＡＳＨ）
【００５７】
ただし、
・Ｖ：反応槽における水の容量
・Ｃ：反応槽内における固形物の濃度
・ＱＯＵＴ：水の浄化処理に伴って処理水管から排出される水の量
・ＣＯＵＴ：処理水管から排出される水中の固形物の濃度
・ＱＷＡＳＨ：担体の洗浄処理に伴って排出管から排出される水の量
・ＣＷＡＳＨ：排出管から排出される水中の固形物の濃度
【００５８】
一方、図１〜図３に示す本実施例の場合、ＳＲＴは以下の式で表すことができる。
［式２］
ＳＲＴ＝（ＶＣ＋ａＱＷＡＳＨＣＷＡＳＨ）／｛ＱＯＵＴＣＯＵＴ＋（１−ａ）ＱＷＡＳＨＣＷＡＳＨ｝
【００５９】
ただし、
・ａ：担体の洗浄処理の際、流量調整板により反応槽へ戻される水の割合（０<ａ≦１）
【００６０】
つまり、本実施例においては、流量調整板３６を設置することにより、担体１の洗浄処理の際にエアリフト管２９から排出される水のうち、割合ａに相当する量が反応槽２０へ戻されることになる。その結果、上記式２におけるＳＲＴの値は、上記式１におけるＳＲＴの値よりも大きくなり、浄化性能を向上させることができるのである。
【００６１】
図４は、本実施例の水処理装置による浄化処理の効率を検証した実験の結果を示すグラフである。図中の円は、図１〜図３に示す本実施例の水処理装置において、原水槽２６に貯留された水Ｗ中のアンモニア量に対し、処理水管２４から排出される水Ｗ中におけるアンモニアの除去率を示している。また、図中の三角形は、図１１〜図１３に示した従来例の水処理装置におけるアンモニアの除去率を示している。従来例の場合、アンモニアの除去率は７０％〜９０％強程度に留まり、特に２０℃以下の低水温では７０％〜８５％に抑えられているが、本実施例の場合、２０℃以上ではおおむね１００％近い除去率を示し、さらに１５℃を下回る低水温でも９０％前後の除去率を達成した。このように、本実施例の水処理装置では、２０℃以上の通常の水温、２０℃未満の低水温のいずれにおいても、従来例と比較して高い浄化性能を示した。
【００６２】
担体１の洗浄時において、エアリフト管２９から反応槽２０へ戻す水Ｗの相対的な流量、すなわち上記式２における割合ａの値は、流量調整板３６の傾斜板３２ｃに対する面積や、設置位置により調整することができる。つまり、基本的には流量調整板３６の面積が傾斜板３２ｃに対して大きいほどａの値は大きくなるし、また流量調整板３６の面積が同じであっても、例えば傾斜板３２ｃの上半分を覆う場合と、左半分（ここでいう「左」とは、傾斜板３２ｃの傾斜方向を上下方向としたときに、上下方向と直交し且つ傾斜板３２ｃのなす面に沿う方向を左右方向と定義した場合の「左」を指す）を覆う場合とでは、後者の方がａの値は大きくなる。また、水Ｗの通る隙間を設けた傾斜板３２ｃの全面を流量調整板３６で覆うようにした場合、ａ≒１となり、エアリフト管２９から排出される水Ｗのほぼ全量が反応槽２０へ戻されることになる。
【００６３】
実際の流量調整板３６の寸法や設置位置に関しては、図３に示したような配置に限らず、本発明を実施するにあたって要求される浄化性能等に応じて適宜設定すれば良い。例えば、図３では傾斜板３２ｃに対し左右の辺に沿った位置に流量調整板３６を配置したが、図５に示すように、傾斜板３２ｃに対し左右方向に関して中央部に流量調整板３６を配置しても良い。この他、流量調整板は傾斜板に対し種々の配置、形状を取り得る。
【００６４】
また、図６に示す如く、流量調整板３６の傾斜板３２ｃ上にあたる位置に縁部３６ａを設けても良い。ここに示した例では、傾斜板３２ｃの左右両側に、上下にわたって流量調整板３６を配置しているが、該流量調整板３６の上下方向に沿った辺の部分に、傾斜板３２ｃのなす面に対して上方へ突出するように縁部３６ａを形成している。このようにすると、傾斜板３２ｃ上を流れる水Ｗにとって、流量調整板３６上に覆われた部分の流路と、それ以外の部分の流路との間が縁部３６ａによって仕切られることになる。したがって、流量調整板３６上を流れる水Ｗや、そこに含まれる固形物が、流量調整板３６に覆われない部分へ流れて下方の受け皿３２ｄに落ちることなく、確実に反応槽２０へ戻される。これにより、反応槽２０へ戻る水Ｗの量の調整をより確実且つ容易にすることができる。尚、図示は省略するが、図５のように傾斜板３２ｃに対し左右方向に関して中央部に流量調整板３６を配置した場合や、その他の配置を採用した場合でも、流量調整板３６の傾斜板３２ｃ上にあたる位置に縁部を適宜備えても良い。
【００６５】
図７は流量調整板に関してさらに別の構成を示す実施例である。図７に示した例の場合、分離装置３７の本体部３７ａは、略円錐台形状の中空の部材として構成されており、円錐面をなす傾斜板３７ｂは、担体１を通さない程度の隙間を備えている。傾斜板３７ｂの下方には、傾斜板３７ｂの隙間を通って下方へ落ちる水Ｗを受けるための受け皿（図示せず）が備えられており、本体部３７ａの上方には、円筒状の遮蔽板（図示せず）が配置されている。
【００６６】
そして、傾斜板３７ｂの表面に沿うように、円錐面をなす流量調整板３８が配置されている。流量調整板３８は、傾斜板３７ｂを径方向に関して全域を覆い、且つ周方向に関して一部を覆うよう、平面視で放射状に設けられた第一調整板３８ａと、同様に、傾斜板３７ｂを径方向に関して全域を覆い、且つ周方向に関して一部を覆うよう、平面視で放射状に設けられた第二調整板３８ｂとを備えている。第二調整板３８ｂは、第一調整板３８ａの直上に重なるように設けられており、エアリフト管２９を軸として第一調整板３８ａに対し回転できるように構成されている。
【００６７】
このようにすると、傾斜板３７ｂの一部が流量調整板３８により覆われ、その部分の隙間が塞がれることになるが、ここで、第二調整板３８ｂを第一調整板３８ａに対して回転させることで第一調整板３８ａと第二調整板３８ｂとの重なりの大きさを変更し、傾斜板３７における流量調整板３８による被覆面積を調整することができる。こうして、図７に示す例によれば、上記式２におけるａの値（エアリフト管２９から排出されて反応槽２０へ戻される水Ｗの量）を簡単に調整することができる。尚、流量調整板による傾斜板の被覆面積の調整は、この他に、例えば寸法の異なる複数の流量調整板を用意して適宜交換したり、流量調整板を分割して設置個数を変更するといった種々の機構によっても行うことができる。
【００６８】
ところで、上記本実施例のように、浄化効率を高める目的で担体１の洗浄に伴って剥離した固形物を反応槽２０に戻すことを考えた場合、例えば図８に参考例として示す如く、排出管３３の途中に開度によって内部を流通する水Ｗの量を調整できる流量調整バルブ３３ａを設け、洗浄水処理槽３４へ向かう水Ｗの量を制限することが考えられる。この場合、エアリフト管２９から排出されたが洗浄水処理槽３４へ向かうことができない余剰の水Ｗは、受け皿３２ｄから溢れて反応槽２０に戻ることになる。
【００６９】
しかしながら、このような仕組みを採用した場合、水Ｗに含まれる固形物により、流量調整バルブ３３ａが閉塞するリスクが生じる。流量調整バルブ３３ａが閉塞すれば、水Ｗと共に固形物の全量が反応槽２０に戻り、浄化効率が著しく低下してしまうことになる。このような事態を避けるためには流量調整バルブ３３ａを頻繁にメンテナンスする必要があり、手間や費用が生じてしまう。
【００７０】
また、水処理装置の運転にあたっては、浄化の効率や担体１における微生物の担持量、反応槽２０への水Ｗの供給量といった条件に応じ、担体１の洗浄の際にエアリフト管２９へ送り込む空気Ａの量や、洗浄処理の時間等を変更するような場合も考えられる。こういった変更を行えば、洗浄処理の際に反応槽２０に戻される水Ｗの量や、洗浄処理による反応槽２０中の固形物量の変動量が変化する。このため、適当な浄化効率を保つためには、洗浄処理の条件の変更に伴い、流量調整バルブ３３ａの開度を都度調節する必要がある。こうした調節を手動で行うのは非常に煩雑である。開度の自動調節機構を別途装備することもできるが、それにも費用と手間が生じる。
【００７１】
また、図９に別の参考例として示すように、洗浄水処理槽３４に溜まった固形物を反応槽２０へ戻す固形物戻し管３９を設け、担体１の洗浄処理の間あるいは洗浄処理の後、適当な量の固形物を反応槽２０へ戻すことも考えられるが、この方式では固形物を反応槽２０へ戻すためにポンプ３９ａを設置し、作動させる必要がある。
【００７２】
これに対し、図１〜図３あるいは図５、図６、図７に示すように、流量調整板３６，３８により傾斜板３２ｃ，３７ｂの一部を覆う方式を採用した場合、エアリフト管２９から排出される水Ｗの量が変動しても、必ず概ね一定の割合の水Ｗを反応槽２０へ戻すことができる。図８に示す流量調整バルブ３３ａや、図９に示すポンプ３９ａのような装置は不要であり、分離装置３２，３７に流量調整板３６，３８を備えただけの簡単な構成で反応槽２０への固形物の回収を実行できる。
【００７３】
以上のように、上記本実施例は、微生物を担持する担体１と共に処理対象としての水Ｗを貯留する反応槽２０と、反応槽２０の底部に一端を、水面より上に他端を配置されたエアリフト管２９と、エアリフト管２９の内部へ気体（空気）Ａを送り込む導気管３０と、エアリフト管２９の他端から反応槽２０の水面に向かって下り勾配をなし、水Ｗが両面間を通過できる隙間を備えた傾斜板３２ｃ，３７ｂとを備え、エアリフト管２９に導気管３０から気体Ａを吹き込むことで、反応槽２０内の担体１と水Ｗをエアリフト管２９内へ吸入し、気体Ａと共にエアリフト管２９の他端から排出して傾斜板３２ｃ，３７ｂに導き、担体１は傾斜板３２ｃ，３７ｂに沿って落下させて反応槽２０へ戻す一方、傾斜板３２ｃ，３７ｂの隙間から下方へ流れる水Ｗは外部へ排出するよう構成され、傾斜板３２ｃ，３７ｂの隙間の少なくとも一部を覆うよう、流量調整板３６，３８を備えている。このようにすると、担体１の洗浄により目詰まりや固着は防止しつつ、剥離した固形物の一部を反応槽２０に戻すことで、反応槽２０内における微生物群の保持量を保ち、浄化効率を向上させることができる。
【００７４】
また、上記本実施例においては、流量調整板３６の傾斜板３２ｃ上にあたる位置に縁部３６ａを設けても良く、このようにすれば、反応槽２０へ戻る水Ｗの量の調整をより確実且つ容易にすることができる。
【００７５】
また、上記本実施例において、流量調整板３８は、傾斜板３７ｂにおける被覆面積を調整可能に構成しても良く、このようにすれば、エアリフト管２９から排出されて反応槽２０へ戻される水Ｗの量をいっそう簡単に調整することができる。
【００７６】
また、上記本実施例において、エアリフト管２９の他端は、水面から上方に突出するように配置され、傾斜板３２ｃは、エアリフト管２９の他端を囲み、径方向外側へ向かう向きに下り勾配をなすよう複数枚備えられ、傾斜板３２ｃの傾斜方向に沿った辺に、上方へ突出する縁部３２ｆを備えた構成とすることができる。このようにすると、平面的で単純な形状の傾斜板３２ｃにより分離装置３２を構成することができると共に、傾斜板３２ｃの傾斜方向に沿った辺を超えて担体１が落下することを防止し、担体１の洗浄にあたり、エアリフト管２９の他端から排出された担体１を確実に反応槽２０へ戻すことができる。
【００７７】
したがって、上記本実施例によれば、簡便な構成により高い効率で水を浄化し得る。
【００７８】
尚、本発明の水処理装置は、上述の実施例にのみ限定されるものではなく、本発明の要旨を逸脱しない範囲内において種々変更を加え得ることは勿論である。
【符号の説明】
【００７９】
１    担体
２０    反応槽
２９    エアリフト管
３０    導気管
３２ｃ  傾斜板
３２ｆ  縁部
３６    流量調整板
３７ｂ  傾斜板
３８    流量調整板
Ａ    空気
Ｗ    水
【図１】
2020104052.tif 000003
【図２】
2020104052.tif 000004
【図３】
2020104052.tif 000005
【図４】
2020104052.tif 000006
【図５】
2020104052.tif 000007
【図６】
2020104052.tif 000008
【図７】
2020104052.tif 000009
【図８】
2020104052.tif 000010
【図９】
2020104052.tif 000011
【図１０】
2020104052.tif 000012
【図１１】
2020104052.tif 000013
【図１２】
2020104052.tif 000014
【図１３】
2020104052.tif 000015